(57)【要約】【課題】事前に手間をかけることなく閲覧可能な情報の登録リストを表示させて、簡単な操作で所望する情報を閲覧できるようにする。【解決手段】閲覧可能な情報がそれぞれ保存された各ファイルのファイル名を取得する。そして、得られたファイル名毎にその種類を示す拡張子を除いた名称部分を抽出し、ブラウザのトップ画面に登録リストの項目名として表示させる。この登録リストの中から項目が選択されると、その選択された項目の情報を表示する。【選択図】図５
2006209314.tif 000002
【特許請求の範囲】
【請求項１】
ブラウザのトップ画面に閲覧可能な情報の登録リストを表示し、前記登録リストの中から選択された情報を表示する情報閲覧装置において、
前記閲覧可能な情報がそれぞれ保存された各ファイルのファイル名を取得するファイル名取得手段と、
このファイル名取得手段により得られたファイル名毎にその種類を示す拡張子を除いた名称部分を抽出し、前記登録リストの項目名として表示させる登録リスト表示制御手段と、
を具備したことを特徴とする情報閲覧装置。
【請求項２】
ブラウザのトップ画面に閲覧用アイコンを貼り付け、
前記ファイル名取得手段は、前記閲覧用アイコンが入力操作されたことに応じて前記閲覧可能な情報がそれぞれ保存された各ファイルのファイル名を取得することを特徴とする請求項１記載の情報閲覧装置。
【請求項３】
前記ファイル名取得手段は、予め関連付けが設定された拡張子を有するファイル名を取得することを特徴とする請求項１または２記載の情報閲覧装置。
【請求項４】
前記登録リスト表示制御手段は、前記ファイル名取得手段により得られたファイル名から拡張子を除いた名称部分をハイパーリンク化して前記登録リストの項目名とすることを特徴とする請求項１乃至３のいずれかに記載の情報閲覧装置。
【請求項５】
ブラウザのトップ画面に貼り付けられた閲覧用アイコンの入力操作により閲覧可能な情報の登録リストを表示し、前記登録リストの中から選択された情報を表示する情報閲覧装置において、
前記閲覧可能な情報が格納されたファイルの保存先パス名を記憶する記憶手段と、
前記閲覧用アイコンが入力操作されたことに応じて前記記憶手段に記憶された保存先パスを取得するパス取得手段と、
このパス取得手段により保存先パスが得られると、その保存先パスによって特定される記憶領域から保存ファイルのファイル名を取得するファイル名取得手段と、
このファイル名取得手段により得られたファイル名毎にその種類を示す拡張子を除いた名称部分を抽出し、前記登録リストの項目として表示させる登録リスト表示制御手段と、
を具備したことを特徴とする情報閲覧装置。
【請求項６】
前記ファイル名取得手段は、前記記憶手段に保存されているファイルの中から予め関連付けが設定された拡張子を有するファイル名を取得することを特徴とする請求項５記載の情報閲覧装置。
【請求項７】
前記登録リスト表示制御手段は、前記ファイル名取得手段により得られたファイル名から拡張子を除いた名称部分をハイパーリンク化して前記登録リストの項目名とすることを特徴とする請求項５または６記載の情報閲覧装置。
【請求項８】
前記ファイル名取得手段によって選択されたファイル名の数を前記閲覧可能な情報の件数として報知する情報件数報知手段、
をさらに具備したことを特徴とする請求項５または６記載の情報閲覧装置。
【請求項９】
情報件数報知手段は、前記閲覧可能な情報の件数がゼロのとき、情報がない旨を報知することを特徴とする請求項８記載の情報閲覧装置。
【発明の詳細な説明】
【技術分野】
【０００１】
本発明は、ブラウザを利用してファイルの情報を選択的に閲覧することが可能な情報閲覧装置に関する。
【背景技術】
【０００２】
クライアント機能を有する第１のコンピュータに、サーバ機能を有する第２のコンピュータが通信回線を介して接続されたコンピュータネットワークシステムにおいては、従来、以下の手順により前記第２のコンピュータに保存されているファイルの情報を前記第１のコンピュータで閲覧することができた。
【０００３】
先ず、ユーザは、第１のコンピュータでファイル管理用のアプリケーションソフトウェアを起動する。そうすると、このソフトウェアの画面から第２のコンピュータ内に形成されているフォルダを閲覧可能となるので、ユーザは、所望する情報ファイルが保存されたフォルダを検索する。そして、該当するフォルダを検出したならば、そのフォルダを選択操作する。かくして、このフォルダに保存されているファイルの一覧画面が第１のコンピュータに表示される。すなわちユーザは、第２のコンピュータに保存されているファイルの情報を第１のコンピュータで閲覧することができる。
【０００４】
このような情報閲覧装置に関連する先行技術としては、携帯電話等の情報通信端末装置において用いる情報をメモリに登録情報として記憶するとともに、この登録情報のタイトルリストを端末装置の表示部に表示させる。そして、このリスト表示されたタイトルの中から１のタイトルが選択操作されると、このタイトルに該当する登録情報をメモリから読み出して上記表示部に表示させる技術がある（例えば、特許文献１参照）。
【特許文献１】特開２００２−９１６７３号公報
【発明の開示】
【発明が解決しようとする課題】
【０００５】
しかしながら、従来のコンピュータネットワークシステムにおいて、第２のコンピュータに保存されているファイルの情報を第１のコンピュータで閲覧するためには、第１のコンピュータでファイル管理用のアプリケーションソフトウェアを起動して所望する情報が格納されたファイルを検索しなければならなかった。このため、コンピュータの操作スキルが低いユーザの場合は作業に手間がかかり、所望する情報を閲覧できるまでに時間がかかるという問題があった。
【０００６】
このような問題を解決するために、第１のコンピュータにおいて閲覧可能な情報をメモリに登録情報として記憶するとともに、この登録リストを第１のコンピュータの表示部に表示させる。そして、この登録リストに表示されたタイトルの中から１のタイトルが選択操作されると、このタイトルに該当する登録情報をメモリから読み出して上記表示部に表示させるように構成することが考えられる。
【０００７】
しかしそのためには、事前に第２のコンピュータから第１のコンピュータに閲覧可能な情報が格納されたファイルを転送しなければならない上、そのファイルの登録リストを表示させるためにファイル毎にタイトルを事前に設定しなければならず、コンピュータの操作スキルが低いユーザにとっては手間と時間がかかる作業が要求されることに変わりなかった。
【０００８】
本発明はこのような事情に基づいてなされたもので、その目的とするところは、事前にタイトルを設定する等の手間をかけることなく閲覧可能な情報の登録リストを表示することができ、簡単な操作で所望する情報を閲覧することができる情報閲覧装置を提供しようとするものである。
【課題を解決するための手段】
【０００９】
本発明は、ブラウザのトップ画面に閲覧可能な情報の登録リストを表示し、登録リストの中から選択された情報を表示する情報閲覧装置において、閲覧可能な情報がそれぞれ保存された各ファイルのファイル名を取得するファイル名取得手段と、このファイル名取得手段により得られたファイル名毎にその種類を示す拡張子を除いた名称部分を抽出し、登録リストの項目名として表示させる登録リスト表示制御手段とを備えたものである。
【発明の効果】
【００１０】
かかる手段を講じた本発明によれば、事前にタイトルを設定する等の手間をかけることなく閲覧可能な情報の登録リストを表示することができ、簡単な操作で所望する情報を閲覧することができる情報閲覧装置を提供できる。
【発明を実施するための最良の形態】
【００１１】
以下、本発明を実施するための最良の形態について、図面を用いて説明する。  
なお、本実施の形態は、複数の店舗を本部で統括して管理する運営形態の流通小売業で、本部と各店舗との間にコンピュータネットワークシステムが構築されている場合において、各店舗のユーザが本部からのお知らせ情報を適宜閲覧することができる情報閲覧装置に本発明を適用した場合である。
【００１２】
本実施の形態におけるシステム構成を、図１のブロック図に示す。同図において、本部サーバ１は本部業務管理用のコンピュータであり、通常、各店舗を統括する本部に設置されている。本部サーバ１には、各店舗で閲覧可能なお知らせ情報のデータベースとして、お知らせファイル２が設けられている。本部サーバ１のユーザは、本部サーバ１で種々のソフトウェアを用いてお知らせ情報を作成し、適当なファイル名を付してお知らせファイル２に保存する。また、お知らせファイル２から不要となったお知らせ情報を削除する。
【００１３】
図１において、複数の店舗サーバ３は店舗業務管理用のコンピュータであり、通常、各店舗に１台ずつ設置されている。各店舗サーバ３には、それぞれ自店舗内に設置されたＰＯＳ（Point Of Sales）端末４が、ＬＡＮ（Local Area Network）５を介して接続されている。各店舗サーバ３は、ＰＯＳ端末４で登録処理された商品販売データをＬＡＮ５を介して収集し集計して、店舗全体の売上げを管理したり、商品単位の売上げ，在庫，発注等を管理したりする。
【００１４】
各店舗サーバ３は、それぞれネットワーク６を介して本部サーバ１と双方向通信自在に接続されている。そして各店舗サーバ３は、本部サーバ１のお知らせファイル２に保存されているお知らせ情報を適宜閲覧することができるようになっている。ここに、各店舗サーバ３は、本発明に係わる情報閲覧装置として機能する。
【００１５】
各店舗サーバ３の要部構成を、図２のブロック図に示す。店舗サーバ３は、主制御部としてＣＰＵ（Central Processing Unit）１１を搭載している。また、主記憶部としてＲＯＭ（Read Only Memory）１２及びＲＡＭ（Random Access Memory）１３を搭載している。さらに、現在の日時を計時する時計部１４、不揮発性補助記憶装置としてのＨＤＤ（Hard Disk Drive）装置１５、ＬＡＮ５を経由したデータ通信を制御するＬＡＮコントローラ１６、キーボード１７のキー入力を制御するキーボードコントローラ１８、ディスプレイ１９の画面表示を制御する表示コントローラ２０、マウスが接続されるマウスインターフェイス２１、プリンタが接続されるプリンタインターフェイス２２及び前記ネットワーク６に接続される通信インターフェイス２３を搭載している。
【００１６】
ＣＰＵ１１と、ＲＯＭ１２，ＲＡＭ１３，時計部１４，ＨＤＤ装置１５，ＬＡＮコントローラ１６，キーボードコントローラ１８，表示コントローラ２０，マウスインターフェイス２１，プリンタインターフェイス２２及び通信インターフェイス２３とは、アドレスバス，データバスなどのバスライン２４で接続されている。
【００１７】
かかる構成の店舗サーバ３は、前述したお知らせ情報閲覧機能を実現するために、図３に示すように、ＨＤＤ装置１５に形成されているシステム管理テーブル３１にて、お知らせファイル２が格納されているフォルダのパスが設定されている（記憶手段）。例えば図３の例では、お知らせファイル２が、本部サーバ１のＣドライブに形成されたｉｎｍｐｗｏｒｋフォルダに保存されていることを示している。
【００１８】
また、店舗サーバ３は、お知らせ情報を閲覧するためのソフトウェアとしてブラウザを実装している。しかして、キーボード１７またはマウスの操作入力等によりブラウザが起動されると、店舗サーバ３のＣＰＵ１１は、図５の流れ図に示す手順の処理を実行するものとなっている。
【００１９】
先ず、ＣＰＵ１１は、ＳＴ（ステップ）１として当該ブラウザのトップ画面をディスプレイ１９に表示させる。このトップ画面の一例を図６に示す。この例では、ブラウザのトップ画面からＰＯＳ業務，売掛業務，買掛業務，在庫管理業務，発注業務の店舗サーバとしての業務メニューを選択できるようになっている。そして本実施の形態では、このトップ画面に、お知らせ情報の閲覧用アイコン「おしらせ」４１が貼り付けられている。
【００２０】
そこでＣＰＵ１１は、ＳＴ２として上記閲覧用アイコン「おしらせ」４１が操作入力（クリック）されたことを検知すると、ＣＰＵ１１は、ＳＴ３としてシステム管理テーブル３１からお知らせファイル格納フォルダのパスを取得する（パス取得手段）。
【００２１】
次に、ＣＰＵ１１は、ＳＴ４として取得したパスにしたがってお知らせファイル２にアクセスする。そして、このお知らせファイル２に格納されているファイルのファイル名を取得する。そして、ＣＰＵ１１は、ＳＴ５として取得したファイル名の中からお知らせ情報として関連付けが予め設定された拡張子のファイル名を選択する（ファイル名取得手段）。また、この選択されたファイル名の数を計数する（情報件数取得手段）。
【００２２】
次に、ＣＰＵ１１は、ＳＴ６として選択したファイル名の数が“０”より大きいか否かを判断する。ここで、選択したファイル名の数が“０”より大きい場合、すなわち予め関連付けが設定された拡張子を有するファイルがお知らせファイル２に保存されていた場合には、ＣＰＵ１１は、ＳＴ７として当該ブラウザのトップ画面に取得したファイル名の数をお知らせ情報の件数として表示させる（情報件数報知手段）。また、ＳＴ８として選択したファイル名から拡張子を除いた名称部分を抽出し、該当するファイルの位置情報を名称部分に埋め込むべくハイパーリンク化して登録リストのタイトル（項目名）とする。そして、この登録リストを当該ブラウザのトップ画面に表示させる（登録リスト表示制御手段）。
【００２３】
しかる後、ＣＰＵ１１は、ＳＴ９として登録リストの中からいずれか１タイトルが操作入力（クリック）されたことを検知すると、ＳＴ１０としてそのタイトルに埋め込まれた位置情報にジャンプして該当するお知らせ情報のファイルを読み込み、その内容をブラウザの画面に表示させる。
【００２４】
一方、ＳＴ６にて選択したファイル名の数が“０”であった場合、すなわち予め関連付けが設定された拡張子を有するファイルがお知らせファイル２に保存されていない場合には、ＣＰＵ１１は、ＳＴ１１として当該ブラウザのトップ画面にお知らせ情報がないことを表示させる。
【００２５】
このように構成された本実施の形態において、例えば今、本部サーバ１のお知らせファイル２に、図４に示す３種類のお知らせ情報ファイル５１，５２，５３が登録されていたとする。因みに、お知らせ情報ファイル５１はマイクロソフト社の表計算ソフトで作成されたファイル（１月の予定.xls）であり、お知らせ情報ファイル５２はマイクロソフト社のワープロソフトで作成されたファイル（フラッシュニュース.doc）であり、お知らせ情報ファイル５３はアドビシステム社の文書フォーマットで編集されたファイル（二重精算の対策.pdf）であって、いずれのファイルの拡張子（.xls），（.doc），（.pdf）もお知らせ情報のファイルとして関連付けされているものとする。
【００２６】
この場合において、ある店舗のユーザが店舗サーバ３のブラウザを起動すると、そのディスプレイ１９には、図６に示すように、閲覧用アイコン「おしらせ」４１が貼り付けられたトップ画面が表示される。ここで、ユーザが、閲覧用アイコン「おしらせ」４１をクリックすると、図７に示すように、お知らせ情報の件数「３件」と、各タイトルの一覧を示す登録リストがトップ画面に表示される。これにより、ユーザは、本部からのお知らせ情報が３件あることと、各お知らせ情報のタイトルとを知ることができる。
【００２７】
さて、登録リストにおいて、タイトル「１月の予定」は、お知らせ情報ファイル５１のファイル名「１月の予定.xls」から拡張子（.xls）を除いた名称部分である。また、タイトル「フラッシュニュース」は、お知らせ情報ファイル５２のファイル名「フラッシュニュース.doc」から拡張子（.doc）を除いた名称部分である。また、タイトル「二重精算の対策」は、お知らせ情報ファイル５３のファイル名「二重精算の対策.pdf」から拡張子（.pdf）を除いた名称部分である。したがって、登録リストにお知らせ情報のタイトルを表示させるために特定のタイトルを設定する必要はない。
【００２８】
また、各タイトルはいずれもハイパーリンク化されており、対応するお知らせ情報ファイル５１，５２，５３が保存されている位置情報が埋め込まれている。これにより、ユーザが例えば登録リストのタイトル「１月の予定」をクリック操作した場合には、本部サーバ１のお知らせファイル２に保存されているお知らせ情報ファイル５１がネットワーク６を介して当該店舗サーバ３に転送され、ディスプレイ１９にその内容が表示される。同様に、ユーザが例えばタイトル「フラッシュニュース」をクリック操作した場合には、本部サーバ１のお知らせファイル２に保存されているお知らせ情報ファイル５２がネットワーク６を介して当該店舗サーバ３に転送され、ディスプレイ１９にその内容が表示される。したがって、お知らせ情報ファイル５１，５２，５３を各店舗サーバ３に事前に転送しておく必要もない。
【００２９】
なお、お知らせファイル２にお知らせ情報ファイルが１つも登録されていない場合には、図８に示すように、例えばお知らせ情報がないことを示す情報、例えば「現在のところお知らせはありません」が表示される。これにより、ユーザは、現時点ではお知らせ情報がないことを確認できる。
【００３０】
このように本実施の形態によれば、事前にお知らせ情報ファイル５１，５２，５３を本部サーバ１から各店舗サーバ３に転送することなく、かつそのファイルの登録リストを表示させるためにファイル毎にタイトルを事前に設定する必要もなく、お知らせ情報の登録リストを店舗サーバ３のディスプレイ１９に表示させることができる。そして、この登録リストに表示された１のタイトルを選択操作することによって、該当するお知らせ情報をディスプレイ１９に表示させることができる。
【００３１】
したがって、コンピュータの操作スキルが低いユーザであっても、本部からのお知らせ情報を簡単に手間なくかつ短時間で閲覧することができ、ユーザの作業能率向上を図り得る効果を奏する。
【００３２】
なお、前記実施の形態では、お知らせファイル２に格納されたファイルのファイル名の中から、予め関連付けが設定された拡張子を有するファイル名を選択したが、お知らせファイル２に格納するファイルを予め関連付けが設定された拡張子を有するファイルに制限することによって、ファイル名選択処理ステップ（ＳＴ５）は省略することができる。この場合、お知らせファイル格納パス内のファイル名を取得した際に（ＳＴ４）、その件数を計数すればよい。
【００３３】
また、本発明は本部サーバ１と店舗サーバ３とからなるコンピュータネットワークシステムに限定されるものではなく、クライアント機能を有する第１のコンピュータに、サーバ機能を有する第２のコンピュータが通信回線を介して接続されたコンピュータネットワークシステムにおいて、第２のコンピュータに保存されているファイルの情報を第１のコンピュータで閲覧する場合に適用できるものである。例えば、店舗サーバ３がお知らせファイル２を有し、各ＰＯＳ端末４がお知らせ情報閲覧のためのブラウザを実装するように構成することによって、各ＰＯＳ端末４のユーザであるキャッシャが適宜店長などからのお知らせ情報を閲覧できるようにしてもよい。
【００３４】
この他、本発明の要旨を逸脱しない範囲で種々変形実施できるのは勿論である。
【図面の簡単な説明】
【００３５】
【図１】本発明の一実施の形態におけるシステム構成の概略を示すブロック図。
【図２】同実施の形態における店舗サーバの要部構成を示すブロック図。
【図３】同実施の形態において店舗サーバが有するシステム管理テーブルで記憶される主要な情報を示す模式図。
【図４】同実施の形態においてお知らせファイルに保存されたお知らせ情報ファイルの一例を示す模式図。
【図５】同実施の形態において店舗サーバのＣＰＵが実行する本発明に係わる要部処理手順を示す流れ図。
【図６】同実施の形態において店舗サーバのディスプレイに表示されるトップ画面の一例を示す平面図。
【図７】図６に示すトップ画面の閲覧用アイコンが操作された際にお知らせファイルにお知らせ情報が３件登録されていた場合の一表示例を示す平面図。
【図８】図６に示すトップ画面の閲覧用アイコンが操作された際にお知らせファイルにお知らせ情報が登録されていなかった場合の一表示例を示す平面図。
【符号の説明】
【００３６】
１…本部サーバ、２…お知らせファイル、３…店舗サーバ、６…ネットワーク、１１…ＣＰＵ、１９…ディスプレイ、３１…システム管理テーブル、４１…閲覧用アイコン、５１〜５３…お知らせ情報ファイル。
【図１】
2006209314.tif 000003
【図２】
2006209314.tif 000004
【図３】
2006209314.tif 000005
【図４】
2006209314.tif 000006
【図５】
2006209314.tif 000007
【図６】
2006209314.tif 000008
【図７】
2006209314.tif 000009
【図８】
2006209314.tif 000010